【手続補正書】
【提出日】令和1年7月26日(2019.7.26)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）におけるワイヤレス通信のための方法であって、
対の無線周波数スペクトルバンドの第１の無線周波数スペクトルバンドにおける第１のダウンリンク送信に関連付けられた第１のセル識別子（ＩＤ）を決定することと、
前記対の無線周波数スペクトルバンドの第２の無線周波数スペクトルバンドにおける第２のダウンリンク送信に関連付けられた第２のセルＩＤを決定することと、
前記第１のセルＩＤおよび前記第２のセルＩＤに少なくとも部分的に基づいて通信することと
を備える、方法。
【請求項２】
前記第１の無線周波数スペクトルバンドは、ダウンリンク無線周波数スペクトルバンドを備え、前記第２の無線周波数スペクトルバンドは、アップリンク無線周波数スペクトルバンドを備える、請求項１に記載の方法。
【請求項３】
前記第２のダウンリンク送信に関する第２の疑似コロケーション（ＱＣＬ）構成を決定することをさらに備える、請求項２に記載の方法。
【請求項４】
前記第１のダウンリンク送信に関する第１のＱＣＬ構成を決定すること、
ここにおいて、前記第２のＱＣＬ構成は、前記第１のＱＣＬ構成に少なくとも部分的に基づいて、決定される、
をさらに備える、請求項３に記載の方法。
【請求項５】
前記第２のダウンリンク送信に関する第２のレート整合構成を決定することをさらに備える、請求項２に記載の方法。
【請求項６】
前記第１のダウンリンク送信に関する第１のレート整合構成を決定すること、
ここにおいて、前記第２のレート整合構成は、前記第１のレート整合構成に少なくとも部分的に基づいて、決定される、
をさらに備える、請求項５に記載の方法。
【請求項７】
前記第１のセルＩＤは、前記第２のセルＩＤとは異なり、ここで、前記通信することは、
前記ダウンリンク無線周波数スペクトルバンドにおいて前記第１のセルＩＤに関連付けられた第１のＣＲＳを受信することと、
前記アップリンク無線周波数スペクトルバンドにおいて前記第２のセルＩＤに関連付けられた第２のＣＲＳを受信することと
を備える、請求項２に記載の方法。
【請求項８】
前記第１のセルＩＤおよび前記第２のセルＩＤは、同じセルＩＤを備え、および前記通信することは、
前記ダウンリンク無線周波数スペクトルバンドにおいて前記第１のセルＩＤに関連付けられた第１のＣＲＳを受信することと、
前記アップリンク無線周波数スペクトルバンドにおいて前記第２のセルＩＤに関連付けられた第２のＣＲＳを受信することと
を備える、請求項２に記載の方法。
【請求項９】
前記第１のダウンリンク送信に関する第１のチャネル状態情報（ＣＳＩ）フィードバックを決定することと、
前記第２のダウンリンク送信に関する第２のＣＳＩフィードバックを決定することと
をさらに備える、請求項２に記載の方法。
【請求項１０】
前記ダウンリンク無線周波数スペクトルバンドにおいてＣＳＩ−ＲＳを受信することと、
前記アップリンク無線周波数スペクトルバンドにおいて、サウンディング基準信号（ＳＲＳ）を受信することと、  ここにおいて、前記第１のＣＳＩフィードバックは、前記ＣＳＩ−ＲＳに少なくとも部分的に基づき、および前記第２のＣＳＩフィードバックは、前記ＳＲＳに少なくとも部分的に基づく、
をさらに備える、請求項９に記載の方法。
【請求項１１】
前記通信することは、
ＤＲＳを受信すること
を備える、請求項２に記載の方法。
【請求項１２】
前記通信することは、
前記第２の無線周波数スペクトルバンドのサブフレームにおいて前記第２のダウンリンク送信を受信することを備え、前記第２のダウンリンク送信は、前記第２のセルＩＤおよび物理アップリンク共有チャネル（ＰＵＳＣＨ）のフォーマットに少なくとも部分的に基づき、および前記第２のダウンリンク送信は、８レイヤのシングルユーザ多入力多出力（ＳＵ−ＭＩＭＯ）送信を備える、請求項１に記載の方法。
【請求項１３】
前記第２のダウンリンク送信は、前記サブフレームの第１のスロットおよび第２のスロットの各々における８つの異なるサイクリックシフト、または前記第１のスロットにおける４つの異なるサイクリックシフトの第１のセットおよび前記第２のスロットにおける４つの異なるサイクリックシフトの第２のセット、または第１の周波数コームにおける４つの異なるサイクリックシフトの前記第１のセットおよび第２の周波数コームにおける４つの異なるサイクリックシフトの前記第２のセット、またはそれらの組合せ、のうちの少なくとも１つに関連付けられる、請求項１２に記載の方法。
【請求項１４】
ユーザ機器（ＵＥ）におけるワイヤレス通信のための装置であって、
プロセッサと、
前記プロセッサと電子通信状態にあるメモリと
を備え、
前記プロセッサおよび前記メモリは、
請求項１ないし１３のいずれかに記載の方法を実行する
ように構成される、装置。
【請求項１５】
請求項１ないし１３のいずれかに記載の方法を実行するために、コンピューティングデバイスのプロセッサによって実行可能な命令を備えるコンピュータプログラム。
【手続補正２】
【補正対象書類名】明細書
【補正対象項目名】０１３１
【補正方法】変更
【補正の内容】
【０１３１】
[0141]本開示の先の説明は、当業者に本開示の製造または使用を可能にするように提供される。本開示に対する様々な修正は、当業者にとって容易に明らかとなり、ここに定義された包括的な原理は、本開示の範囲から逸脱することなしに他の変形に適用され得る。従って、本開示は、本明細書に説明された例および設計に限定されるべきではなく、ここに開示された原理および新規な技法と一致する最も広い範囲を与えられるべきである。
以下に本願の出願当初の特許請求の範囲に記載された発明を付記する。
［Ｃ１］  ユーザ機器（ＵＥ）におけるワイヤレス通信のための方法であって、
対の無線周波数スペクトルバンドの第１の無線周波数スペクトルバンドにおける第１のダウンリンク送信に関連付けられた第１のセル識別子（ＩＤ）を決定することと、
前記対の無線周波数スペクトルバンドの第２の無線周波数スペクトルバンドにおける第２のダウンリンク送信に関連付けられた第２のセルＩＤを決定することと、
前記第１のセルＩＤおよび前記第２のセルＩＤに少なくとも部分的に基づいて通信することと
を備える、方法。
［Ｃ２］  前記第１の無線周波数スペクトルバンドは、ダウンリンク無線周波数スペクトルバンドを備え、前記第２の無線周波数スペクトルバンドは、アップリンク無線周波数スペクトルバンドを備える、Ｃ１に記載の方法。
［Ｃ３］  前記第２のダウンリンク送信に関する第２の疑似コロケーション（ＱＣＬ）構成を決定することをさらに備える、Ｃ２に記載の方法。
［Ｃ４］  前記第１のダウンリンク送信に関する第１のＱＣＬ構成を決定すること、
ここにおいて、前記第２のＱＣＬ構成は、前記第１のＱＣＬ構成に少なくとも部分的に基づいて、決定される、
をさらに備える、Ｃ３に記載の方法。
［Ｃ５］  前記第２のＱＣＬ構成は、前記ダウンリンク無線周波数スペクトルバンドにおいて受信された少なくとも第１の基準信号および前記アップリンク無線周波数スペクトルバンドにおいて受信された少なくとも第２の基準信号を備える、Ｃ３に記載の方法。
［Ｃ６］  前記少なくとも第１の基準信号は、セル固有基準信号（ＣＲＳ）またはチャネル状態情報基準信号（ＣＳＩ−ＲＳ）のうちの少なくとも１つを備え、前記少なくとも第２の基準信号は、復調基準信号（ＤＭ−ＲＳ）またはサウンディング基準信号（ＳＲＳ）のうちの少なくとも１つを備える、Ｃ５に記載の方法。
［Ｃ７］  前記第２のダウンリンク送信に関する第２のレート整合構成を決定することをさらに備える、Ｃ２に記載の方法。
［Ｃ８］  前記第１のダウンリンク送信に関する第１のレート整合構成を決定することと、
ここにおいて、前記第２のレート整合構成は、前記第１のレート整合構成に少なくとも部分的に基づいて、決定される、
をさらに備える、Ｃ７に記載の方法。
［Ｃ９］  前記第２のレート整合構成は、
ＣＲＳ関連のレート整合無し、または前記第１のダウンリンク送信に関連付けられた第１のＣＲＳ関連のレート整合と比較してよりスパースなＣＲＳに関連付けられた第２のＣＲＳ関連のレート整合、または動的に存在するＣＲＳに関連付けられた第３のＣＲＳ関連のレート整合、または前記第１のダウンリンク送信に関連付けられた制御領域関連のレート整合と比較して制御領域関連のレート整合無し、またはそれらの組合せ、のうちの少なくとも１つを備える、Ｃ７に記載の方法。
［Ｃ１０］  前記第１のセルＩＤは、前記第２のセルＩＤは、とは異なり、ここで、前記通信することは、
前記ダウンリンク無線周波数スペクトルバンドにおいて前記第１のセルＩＤに関連付けられた第１のＣＲＳを受信することと、
前記アップリンク無線周波数スペクトルバンドにおいて前記第２のセルＩＤに関連付けられた第２のＣＲＳを受信することと
を備える、
Ｃ２に記載の方法。
［Ｃ１１］  前記第１のセルＩＤおよび前記第２のセルＩＤは、同じセルＩＤを備え、および前記通信することは、
前記ダウンリンク無線周波数スペクトルバンドにおいて前記第１のセルＩＤに関連付けられた第１のＣＲＳを受信することと、
前記アップリンク無線周波数スペクトルバンドにおいて前記第２のセルＩＤに関連付けられた第２のＣＲＳを受信することと
を備える、Ｃ２に記載の方法。
［Ｃ１２］  前記第１のダウンリンク送信に関する第１のチャネル状態情報（ＣＳＩ）フィードバックを決定することと、
前記第２のダウンリンク送信に関する第２のＣＳＩフィードバックを決定することと  をさらに備える、Ｃ２に記載の方法。
［Ｃ１３］  前記ダウンリンク無線周波数スペクトルバンドにおいてＣＳＩ−ＲＳを受信することと、
前記アップリンク無線周波数スペクトルバンドにおいて、サウンディング基準信号（ＳＲＳ）を受信することと
ここにおいて、前記第１のＣＳＩフィードバックは、前記ＣＳＩ−ＲＳに少なくとも部分的に基づき、および前記第２のＣＳＩフィードバックは、前記ＳＲＳに少なくとも部分的に基づく、と
をさらに備える、Ｃ１２に記載の方法。
［Ｃ１４］  前記通信することは、
ＤＲＳを受信すること
を備える、Ｃ２に記載の方法。
［Ｃ１５］  前記ＤＲＳは、前記ダウンリンク無線周波数スペクトルバンドにおいて受信された少なくとも第１の基準信号および前記アップリンク無線周波数スペクトルバンドにおいて受信された少なくとも第２の基準信号を備える、Ｃ１４に記載の方法。
［Ｃ１６］  前記少なくとも第１の基準信号は、プライマリ同期信号（ＰＳＳ）、またはセカンダリ同期信号（ＳＳＳ）、またはＣＲＳのうちの少なくとも１つを備え、ここにおいて、前記少なくとも第２の基準信号は、ＣＳＩ−ＲＳまたはＳＲＳのうちの少なくとも１つを備える、Ｃ１５に記載の方法。
［Ｃ１７］  前記第１の無線周波数スペクトルバンドおよび前記第２の無線周波数スペクトルバンドは、異なる送信電力制限、または異なる干渉特性、またはそれらの組合せ、のうちの少なくとも１つに関連付けられる、Ｃ１に記載の方法。
［Ｃ１８］  前記第１のセルＩＤおよび前記第２のセルＩＤは、同じ物理セルＩＤ（ＰＣＩ）または同じ仮想セルＩＤ（ＶＣＩ）を備える、Ｃ１に記載の方法。
［Ｃ１９］  前記通信することは、
前記第２の無線周波数スペクトルバンドのサブフレームにおいて前記第２のダウンリンク送信を受信することを備え、前記第２のダウンリンク送信は、前記第２のセルＩＤおよび物理アップリンク共有チャネル（ＰＵＳＣＨ）のフォーマットに少なくとも部分的に基づき、および前記第２のダウンリンク送信は、８レイヤのシングルユーザ多入力多出力（ＳＵ−ＭＩＭＯ）送信を備える、Ｃ１に記載の方法。
［Ｃ２０］  前記第２のダウンリンク送信は、前記サブフレームの第１のスロットおよび第２のスロットの各々における８つの異なるサイクリックシフト、または前記第１のスロットにおける４つの異なるサイクリックシフトの第１のセットおよび前記第２のスロットにおける４つの異なるサイクリックシフトの第２のセット、または第１の周波数コームにおける４つの異なるサイクリックシフトの前記第１のセットおよび第２の周波数コームにおける４つの異なるサイクリックシフトの前記第２のセット、またはそれらの組合せ、のうちの少なくとも１つに関連付けられる、Ｃ１９に記載の方法。
［Ｃ２１］  ユーザ機器（ＵＥ）におけるワイヤレス通信のための装置であって、
対の無線周波数スペクトルバンドの第１の無線周波数スペクトルバンドにおける第１のダウンリンク送信に関連付けられた第１のセル識別子（ＩＤ）を決定するための手段と、  前記対の無線周波数スペクトルバンドの第２の無線周波数スペクトルバンドにおける第２のダウンリンク送信に関連付けられた第２のセルＩＤを決定するための手段と、
前記第１のセルＩＤおよび前記第２のセルＩＤに少なくとも部分的に基づいて通信するための手段と
を備える、装置。
［Ｃ２２］  前記第１の無線周波数スペクトルバンドは、ダウンリンク無線周波数スペクトルバンドを備え、前記第２の無線周波数スペクトルバンドは、アップリンク無線周波数スペクトルバンドを備える、Ｃ２１に記載の装置。
［Ｃ２３］  前記第２のダウンリンク送信に関する第２の疑似コロケーション（ＱＣＬ）構成を決定するための手段をさらに備える、Ｃ２２に記載の装置。
［Ｃ２４］  前記第１のダウンリンク送信に関する第１のＱＣＬ構成を決定するための手段と、
ここにおいて、前記第２のＱＣＬ構成は、前記第１のＱＣＬ構成に少なくとも部分的に基づいて、決定される、と
をさらに備える、Ｃ２３に記載の装置。
［Ｃ２５］  前記第２のＱＣＬ構成は、前記ダウンリンク無線周波数スペクトルバンドにおいて受信された少なくとも第１の基準信号および前記アップリンク無線周波数スペクトルバンドにおいて受信された少なくとも第２の基準信号を備える、Ｃ２３に記載の装置。
［Ｃ２６］  前記少なくとも第１の基準信号は、セル固有基準信号（ＣＲＳ）またはチャネル状態情報基準信号（ＣＳＩ−ＲＳ）のうちの少なくとも１つを備え、前記少なくとも第２の基準信号は、復調基準信号（ＤＭ−ＲＳ）またはサウンディング基準信号（ＳＲＳ）のうちの少なくとも１つを備える、Ｃ２５に記載の装置。
［Ｃ２７］  前記第２のダウンリンク送信に関する第２のレート整合構成を決定するための手段
をさらに備える、Ｃ２２に記載の装置。
［Ｃ２８］  前記第１のダウンリンク送信に関する第１のレート整合構成を決定するための手段、  ここにおいて、前記第２のレート整合構成は、前記第１のレート整合構成に少なくとも部分的に基づいて、決定される、
をさらに備える、Ｃ２７に記載の装置。
［Ｃ２９］  ユーザ機器（ＵＥ）におけるワイヤレス通信のための装置であって、
プロセッサと、
前記プロセッサと電子通信状態にあるメモリと
を備え、
前記プロセッサおよび前記メモリは、
対の無線周波数スペクトルバンドの第１の無線周波数スペクトルバンドにおける第１のダウンリンク送信に関連付けられた第１のセル識別子（ＩＤ）を決定することと、
前記対の無線周波数スペクトルバンドの第２の無線周波数スペクトルバンドにおける第２のダウンリンク送信に関連付けられた第２のセルＩＤを決定することと
前記第１のセルＩＤおよび前記第２のセルＩＤに少なくとも部分的に基づいて通信することと
を行うように構成される、装置。
［Ｃ３０］  ワイヤレス通信のためのコンピュータ実行可能コードを記憶した非一時的コンピュータ読取り可能媒体であって、前記コードは、
対の無線周波数スペクトルバンドの第１の無線周波数スペクトルバンドにおける第１のダウンリンク送信に関連付けられた第１のセル識別子（ＩＤ）を決定することと、
前記対の無線周波数スペクトルバンドの第２の無線周波数スペクトルバンドにおける第２のダウンリンク送信に関連付けられた第２のセルＩＤを決定することと、
前記第１のセルＩＤおよび前記第２のセルＩＤに少なくとも部分的に基づいて通信することと
を行なうために、プロセッサによって、実行可能である、非一時的なコンピュータ読取り可能媒体。